(57)【要約】【課題】ハンマーナイフモアは、刈取作用時に強い遠心作用が働き、刈取抵抗、衝撃力が働くため、各ハンマーナイフの揺動作用が円滑に行われ難くなったり、ハンマーナイフが損傷したとき等では、ロータ軸周りのハンマーナイフを取外して、変形、損傷を修正したり、補修することを要し、その操作は煩雑で、長時間を要する。【解決手段】ハンマーナイフ１を保持するナイフホルダ６を配置し、左右両側端部にサイドディスク３，３を形成したモアロータ軸２の外周部に、左右相対向のナイフホルダ６，６のホルダ穴９間、及びこのナイフホルダ６のホルダ穴９とサイドディスク３，３のディスク穴１３との間に亘って、モアロータ軸２と平行方向のカラー７を介装し、これらサイドディスク３のディスク穴１３と、ナイフホルダ６のホルダ穴９と、このナイフホルダ６に保持のハンマーナイフ１のナイフ穴４、及び各カラー７のカラー穴８に亘ってロッド５を挿通する。【選択図】図３
2018153132.tif 000002
【特許請求の範囲】
【請求項１】
外周部にハンマーナイフ（１）を保持するナイフホルダ（６）を配置すると共に、左右両側端部にサイドディスク（３），（３）を形成したモアロータ軸（２）の外周部に、左右相対向のナイフホルダ（６），（６）のホルダ穴（９）間、及びこのナイフホルダ（６）のホルダ穴（９）とサイドディスク（３）のディスク穴（１３）との間に亘って、モアロータ軸（２）と平行方向のカラー（７）を介装し、これらサイドディスク（３）のディスク穴（１３）と、ナイフホルダ（６）のホルダ穴（９）と、このナイフホルダ（６）に保持のハンマーナイフ（１）のナイフ穴（４）、及び各カラー（７）のカラー穴（８）に亘ってロッド（５）を挿通して、モアロータ軸（２）の回転により前記ハンマーナイフ（１）をロッド（５）の周りに揺動自在にして草茎刈取可能に構成したことを特徴とするハンマーナイフモア。
【請求項２】
前記各ナイフホルダ（６）間に介装するカラー（７）の側端部を、このナイフホルダ（６）のホルダ穴（９）に対して回動自在に嵌合し、又は一体的に支持連結することを特徴とする請求項１に記載のハンマーナイフモア。
【請求項３】
前記ハンマーナイフ（１）の外周を覆うモアカバー（１０）の、ロータ軸（２）の外側部に対向するサイドカバー（１１）部に、前記ロッド（５）を抜き差しするロッド差込穴（１２）を形成したことを特徴とする請求項１、又は２に記載のハンマーナイフモア。
【発明の詳細な説明】
【技術分野】
【０００１】
ロータ軸の周りに、ハンマーナイフ形態の草刈刃を配置したハンマーナイフモアに関し、ハンマーナイフの着、脱を簡単、容易化する。
【背景技術】
【０００２】
ハンマーナイフ形態のモアは、左右横方向に亘って軸装して回転されるロータ軸の周りに、多数のハンマーナイフを揺動可能に広幅に配置するため、重量が大きく、回転による刈り取り時は遠心力が強く働く。このため、このロータ軸が変形したり、刈取抵抗や、衝撃損傷を受けて、ハンマーナイフの揺動支軸部が変形し易く、刈取性能を低下させることが多い。
【先行技術文献】
【特許文献】
【０００３】
【特許文献１】特開２００１−３３３６０２号公報
【発明の概要】
【発明が解決しようとする課題】
【０００４】
ハンマーナイフモアは、刈取作用時に強い遠心作用が働き、刈取抵抗、衝撃力が働くため、各ハンマーナイフの揺動作用が円滑に行われ難くなったり、ハンマーナイフが損傷したとき等では、ロータ軸周りのハンマーナイフを取外して、変形、損傷を修正したり、補修することを要し、その操作は煩雑で、長時間を要する。
【課題を解決するための手段】
【０００５】
請求項１に記載の発明は、ハンマーナイフ１を保持するナイフホルダ６を配置すると共に、左右両側端部にサイドディスク３，３を形成したモアロータ軸２の外周部に、左右相対向のナイフホルダ６，６のホルダ穴９間、及びこのナイフホルダ６のホルダ穴９とサイドディスク３，３のディスク穴１３との間に亘って、モアロータ軸２と平行方向のカラー７を介装し、これらサイドディスク３のディスク穴１３と、ナイフホルダ６のホルダ穴９と、このナイフホルダ６に保持のハンマーナイフ１のナイフ穴４、及び各カラー７のカラー穴８に亘ってロッド５を挿通して、モアロータ軸２の回転により前記ハンマーナイフ１をロッド５の周りに揺動して草茎刈取可能に構成したハンマーナイフモアの構成とする。
【０００６】
モアによる草刈作用は、ハンマーナイフ１を有したモアロータ軸２の回転によって行われる。モアロータ軸２の外周には、ナイフホルダ６や軸端のサイドディスク３等を介して支持されるロッド５や、カラー７が支架されてリール状形態のモアロータを形成し、このモアロータ軸２の回転による遠心力や、刈り取り抵抗力等を受けて、各ロッド５の周りに、各ナイフホルダ６部のハンマーナイフ１が揺動し、カラー７が回動自在、又は固定状態に支架する状態となる。モアロータ軸２の回転によって各ロッド５上のハンマーナイフ１が、遠心力により放射状形態に開拡するように回転し、このハンマーナイフ１の刃先を草茎部に叩き付けるように摺接させて、草刈作用を行うことができる。
【０００７】
又、カラー７を回動自在に支架している形態では、草茎の一部が未切断のまま回転するカラー７部に摺接されると、この草茎部の摺動抵抗によってリールバッド形態のカラー７がロッド５の周りに回動して、このカラー７に対する草茎の巻付を防止することができる。
【０００８】
このような各ハンマーナイフ１の着脱を行うメンテナンス作業時は、モアロータ軸２の一側端部のサイドディスク３側からロッド５を抜き差し操作して、各ハンマーナイフ１のナイフ穴４や、カラー穴８等へ挿通したり、又は抜き外すことができ、しかも、モアロータ軸２の回転方向の各配置位相位置において、モアロータ軸２を一定角度毎、手動で間歇回動操作しながら、このロッド５を抜き差し操作することができ、軸方向に沿って配置のナイフホルダ６位置上、及びロッド５位置上の各ハンマーナイフ１、及びカラー７の着脱を、正確に、順序よく行うことができる。
【０００９】
請求項２に記載の発明は、前記各ナイフホルダ６間に介装するカラー７の側端部を、このナイフホルダ６のホルダ穴９に対して回動自在に嵌合し、又は一体的に支持連結する構成とする。
【００１０】
各ハンマーナイフ１のナイフ穴４や、ナイフホルダ６のホルダ穴９、及びカラー７のカラー穴８は、同芯上の挿通支架ロッド５で連接するため、ハンマーナイフ１の取付部が、ロッド５と、この外周に嵌合するカラー７との内外二重軸形態の支持形態として、ハンマーナイフ１の取付強度を高めることができ、草刈取性を高め、安定した草刈作用を維持する。又、ハンマーナイフ１の着脱を、同一ロッド５上に位置して左右配置のカラー７，７を、同軸上に沿う左右方向へ開拡移動することによって、簡単、容易化することができる。
【００１１】
又、前記左右のナイフホルダ６、６間をカラー７、７で連結し、このナイフホルダ６とカラー７に抜き差し可能なロッド５を設け、このロッド５の外周面にハンマーナイフ１のナイフ穴４を直接嵌合させて、回動自在に枢支するものであるが、この形態では、ナイフホルダ６の左右両側のカラー７は、このカラー７の先端縁をナイフ穴４の内面部に望ませるか、乃至はハンマーナイフ１の左右両側面に接近させた形態とすることができ、ハンマーナイフ１を、単独でロッド５に対して回動自在に支持するか、又は、カラー７と一体として回動自在の支持構成とすることができる。
【００１２】
この構成に代えて、前記カラー７は、ナイフホルダ６のナイフ穴４に対して回動可能に嵌合するもよく、又は、溶接等により固着して、モアロータ軸２と一体的に回動する構成とすることも可能であり、これら取付部の強度を堅固にすることができる。
【００１３】
請求項３に記載の発明は、前記ハンマーナイフ１の外周を覆うモアのカバー１０の、モアロータ軸２の外側部に対向するサイドカバー１１部に、前記ロッド５を抜き差しするロッド差込穴１２を形成した構成とする。
【００１４】
モアロータ軸２上の各ハンマーナイフ１や、カラー７を着脱するときは、ロータ左右のサイドディスク３，３間に挿通支架しているロッド５をこれらサイドディスク３の外側に形成のサイドカバー１１のロッド差込穴１２から抜き差して行う。取付けるときは、左右一側のサイドカバー１１のロッド差込穴１２から内側へロッド５を差込みしながら、このロッド差込穴１２と同回転位相位置に配置するカラー７のカラー穴８に挿通し、更にこのカラー７の先端部に位置するハンマーナイフ１のナイフ穴４、及びナイフホルダ６のホルダ穴９に挿通する。更に、このロッド５の延長線上にカラー７や、ハンマーナイフ１、及びナイフホルダ６が配置される場合は、同様にしてこれらのカラー穴８や、ナイフ穴４、ホルダ穴９を挿通支架して、ロッド５の先端部を対向のサイドディスク３のディスク穴１３に挿通支持する。
【００１５】
又、各ハンマーナイフ１をモアロータ軸２から取外すときは、モアロータ軸２の左右のサイドカバー１１，１１間に支架しているロッド５をこのサイドカバー１１のロッド差込穴１２から外側へ引き出すようにして、サイドディスク３，３内側部に配置されるハンマーナイフ１や、ナイフホルダ６等のナイフ穴４や、ホルダ穴９、カラー７のカラー穴８、及びサイドディスク３のディスク穴１３等から外側へ引き抜くようにして、これらモアロータ軸２の各ハンマーナイフ１や、カラー７等を、このロッド５の先端部から抜き外して、モアロータ軸２周りの各配置位置から取出して分解する。このようにして、作業者は、これらロッド５から外された各ハンマーナイフ１を、モアロータ軸２周り位置からモアデッキの外側位置へ取出して、補修したり、更には、補修後の取付け操作を行うことができる。
【発明の効果】
【００１６】
請求項１に記載の発明は、モアロータ軸２の周りには、多数のハンマーナイフ１がリール形態のロッド５によって揺動自在に配置されるが、これら各ハンマーナイフ１は、回転の数等分角位相位置に配置のロッド５の周りに、カラー７と共に揺動回動自在に、又、これらモアロータ軸２、及びロッド５、カラー７等によって堅固に支架されて、ハンマーナイフ１のロッド５周りの揺動を円滑に行わせ、草刈衝撃力をこのロッド５で受けてハンマーナイフ１の揺動を安定姿勢に維持して、草刈性能を高めることができる。又、各ロッド５上の左右のハンマーナイフ１，１間にはモアロータ軸２と平行状のカラー７を架設するため、このカラー７によって草茎が直接モアロータ軸２の周りに巻付き難く、又、このカラー７をロッド５周りに回動自在に支架する形態では、このカラー７自体の周りに対しても巻付き難く、草茎刈取抵抗、負荷を軽減して、円滑な安定した草刈作用を行わせることができる。
【００１７】
又、前記のように多数のハンマーナイフ１を揺動自在に支架配置するモアロータＭを、回転中心コア部のモアロータ軸２部と、このモアロータ軸２の外周部に左右両側端のサイドディスク３，３、及び、ナイフホルダ６等を介してリール形態に形成しているため、各ハンマーナイフ１の揺動支架を安定させて、ハンマー揺動、及び草茎切断作用を効果的に行わせる。しかも、前記各ハンマーナイフ１の支架構成は、ロッド５とカラー７との内外二重軸形態として、堅固なリール形態カラー７の支架構成とし、円滑で、安定したハンマーナイフ１の草刈取回転作用、及び揺動作用を行わせることができる。
【００１８】
前記各ハンマーナイフ１をモアロータ軸２外周に配置する形態は、このモアロータ軸２と平行状のロッド５上に沿って並列配置して、簡潔的で安価な構成として、着脱操作を行い易くすることができ、メンテナンス性を高めることができる。
【００１９】
請求項２に記載の発明は、前記モアロータ軸２の長手方向に亘ってナイフホルダ６のホルダ穴９内に、カラー７の先端部を差込んで（インロウ形態に嵌合して）、回動自在にして設け、又は一体的連結構成して、これらモアロータ軸２に沿って連接の一連の、サイドディスク３，３や、カラー７、ホルダ穴９、及びこのホルダ穴９に重合するハンマーナイフ１のナイフ穴４等に亘って、ロータ幅に亘る一連の単一ロッド５を挿通して、各ハンマーナイフ１や、カラー７等を支架するため、堅固な安定した構成として、モアロータ軸２の回転により、ハンマーナイフ１の遠心力作用や、草茎切断抵抗や、衝撃力等を受けながら円滑に刈り取りを行うことができる。
【００２０】
又、ハンマーナイフ１を取替えたり、ハンマーナイフ１の損傷を修正するときは、前記ロッド５を、モアロータ軸２のサイドディスク３部から抜き差しすることによって、各ナイフホルダ６部に保持されているハンマーナイフ１のナイフ穴４からロッド５を抜き差しして、簡単な操作でハンマーナイフ１の着脱を行うことができる。又、前記草刈取時は、ナイフホルダ６のホルダ穴９と、このホルダ穴９に嵌合するカラー７端部との間に対する草茎の引込、巻付を阻止して、円滑で軽快な草刈作用を行わせることができる。
【００２１】
請求項３に記載の発明は、各ハンマーナイフ１を着脱するためのロッド５を抜き差しするには、このハンマーナイフ１を取付けたモアロータ軸２を装着した、又は装着するモアデッキカバー１０におけるサイドカバー１１のロッド差込穴１２に、外側からロッド５の一端部を差し込んで、サイドディスク３のディスク穴１３や、各カラー７、及びナイフホルダ６のホルダ穴９や、ナイフ穴４に差込み挿通しながら支持したり、又は、これら装着のナイフ穴４や、ホルダ穴９、及びカラー穴８からロッド５を抜き外して、各ハンマーナイフ１を取外すことができる。このようにハンマーナイフ１を各ナイフホルダ６部に装着した状態で、このナイフホルダ６の保持するハンマーナイフ１のナイフ穴４のロッド５を、モアデッキサイドカバー１１のロッド差込穴１２へ、このモアデッキカバー１０の外側から抜き差ししながら着脱するため、ハンマーナイフ１の各ナイフホルダ６部への着脱を簡単、容易に行うことができ、メンテナンス性を高めることができる。
【図面の簡単な説明】
【００２２】
【図１】ハンマーナイフモアの側面図。
【図２】その平面図。
【図３】そのモアロータ部の平面図（Ａ）と、側面図（Ｂ）。
【図４】そのモアロータ部の斜視図。
【図５】そのモアロータ軸の軸受部の分解斜視図（Ｂ）。
【図６】そのモアロータ軸の軸受部の断面図。
【図７】ロッドの抜止めを固定するロックプレートの形態例（Ａ）、（Ｂ）、（Ｃ）の側面図。
【図８】ロッドの抜き差し状態を示すモアロータ部の正面図（Ａ）と、そのナイフホルダ部の拡大断面図（Ｂ）。
【図９】ハンマーナイフの取付状態を示すモアロータ部の平面図（Ａ）と、側面図（Ｂ）。
【図１０】モアロータ軸へのナイフホルダ固着状態を示す正面図と側面図。
【発明を実施するための形態】
【００２３】
図面に基づいて、左右一対の車輪１５を有した車軸１６走行形態のハンマーナイフモアは、車軸１６上の伝動ケース１７上に、左右方向に回動振替可能のハンドル１８を有し、後側のエンジンベース１９上には、該伝動ケース１７の伝動ギヤ機構を伝動するエンジン２０を搭載している。前記伝動ケース１７の前側にヒッチ２１を介して、ハンマーナイフ１を配置したモアロータ軸２、モアデッキカバー１０等からなるハンマーモア２２を装着して、このモアロータ軸２を、前記伝動ケース１７の外側に沿って設ける伝動ケース５２の伝動ベルト５０、及びこの前側の伝動ケース４７のベルト３４を介して連動回転する形態として、ハンマーナイフ１をモアロータ軸２の周りに回転させて、草茎刈取を行うことができる。
【００２４】
前記ハンドル１８には、走行クラッチレバー２３や、刈取クラッチレバー２４、スロットルレバー２５等を設けている。２６は、エンジンスタータ、２７は燃料タンクである。左右のハンドル１８を中間部で接続する接続パイプＰには、このハンドル１８の高さを変更、調節するハンドル高さ調節レバー２８を設け、ハンドル１８下方には、該ハンドル１８の突出方向を変更するためのハンドル方向切替レバー２９を設けている。３０は操向クラッチレバーである。
【００２５】
モアデッキカバー１０で覆われたモアデッキ２２の下側には、左右横方向に亘って水平状に架設のモアロータ軸２を有し、このモアロータ軸２の両端部を、モアデッキ２２のサイドカバー１１の軸受部材３１に軸受けし、このモアロータ軸２の一端部のプーリ３２と、前記伝動ケース１７の前端部に軸装する動力取出プーリ３３との間をベルト３４を掛け渡して、モアロータ軸２を伝動回転する構成としている。モアデッキカバー１０の前側には刈取草茎を一定の刈取姿勢に整揃する案内板３５を設け、前記サイドカバー１１の前端外側部に、接地高さ調節可能のゲージホイル３６を設けて、草茎の刈取高さを調節できる構成としている。
【００２６】
前記モアロータ軸２は、丸パイプ材からなり、左右両端部に前記軸受部材３１に対して嵌合させて軸受する小径の端部軸３７を形成している。このモアロータ軸２の左右両端にサイドディスク３を固着して一体回転する形態とし、このサイドディスク３の外周縁を外側へ湾曲させて皿形状形態に構成している。又、このサイドディスク３の外側に対向するサイドカバー１１の内側には、サイドディスク３の外周縁部を被嵌するように皿形状に形成したカバーディスク３８を形成して、前記軸受部材３１の外周部に形成のフランジ４０との間に、サイドカバー１１の内側面を位置させて挟持するようにしてボルト３９締めによって固定している。ＢＷはモアロータＭの回転をスムーズに行うために取着するバランスウエイトの役割をするものであり、ボルトＢＷや座金（図示せず）等を、サイドディスク３外周部に複数個設けたナット５５の適宜の位置に取着することによってモアロータＭの回転バランスを取ることができる。
【００２７】
前記モアロータ軸２の左右両端部の端部軸３７は、前記内外に重合するカバーディスク３８の軸受穴６０と、サイドカバー１１の軸受穴６１、及び軸受部材３１の軸受穴６２との重合軸受穴部に嵌合挿通して、回転自在に軸受けする。
【００２８】
前記モアロータ軸２の外周面には、Ｕ字状断面形態のナイフホルダ６を三等分角の位相位置に沿って配置し、一体的に溶接固着する。各ナイフホルダ６には、前記モアロータ軸２と平行方向にホルダ穴９を形成して、このナイフホルダ６に差込んだハンマーナイフ１の基部に形成のナイフ穴４との重合部に、ロッド５を挿通してハンマーナイフ１を、このロッド５周りに一定角度揺動自在に構成する。各ハンマーナイフ１は先端刃先部をＹ字状に開曲した形態として、このハンマーナイフ１の基部をナイフホルダ６のＵ字状底面６３との間に適宜間隔の揺動間隔と、この揺動係止のＵ字状底面（ストッパ）６３とを形成して、この揺動間隔回転角度域においてのみハンマーナイフ１が回動可能に規制して、このロッド５周り揺動自在に構成する。
【００２９】
前記ロッド５は、モアロータ軸２の外周の三等分角位置に沿って配置形成されるナイフホルダ６のホルダ穴９，９間に亘って挿通されるが、この位相位置の左右側端部に対向するサイドディスク３や、カバーディスク３８、及び軸受フランジ４０には、このロッド５の挿通可能のディスク穴１３やカバー穴１４を形成して、これらのディスク穴１３、カバー穴１４と、各ナイフホルダ６のホルダ穴９、及びハンマーナイフ１のナイフ穴４に、左右一側端部がら他側端部に亘ってロッド５を挿通して、各位相位置毎のハンマーナイフ１をロッド５周りに揺動自在に支架する。
【００３０】
各ロッド５の外周には、丸パイプ状形態のカラー７を嵌合して回動自在、又は一体構成として支持する。ロッド５に嵌合支持したカラー７は、左右両端部を共にナイフホルダ６のホルダ穴９外側面に接近するが、モアロータ軸２両端部のサイドディスク３の内側面に対向するカラー７の端部は、このサイドディスク３のディスク穴１３の内側面に接近する。そして、これらカラー７の先端部は、ホルダ穴９の内側に嵌合させて、インロー形態に嵌合して回動自在、又は一体的連結形態として支架する。
【００３１】
前記各ハンマーナイフ１を着脱するためのロッド５の抜き差しは、モアロータ軸２をモアデッキ２２に装着している状態で行う場合は、左右いずれかの側のサイドカバー１１の外側から内側のモアロータ軸２側へロッド５を打込ピン４８や、ハンマー４６等を用いて抜き差し可能に構成する。このため、モアデッキカバー１０のサイドカバー１１部にロッド差込穴１２を形成しておき、このロッド差込穴１２の外側からロッド５を内側へ差込みしながら、各位相位置のナイフホルダ６、及びナイフホルダ６，６間に配置するナイフ穴４、ホルダ穴９、及びカラー穴８に亘って、ロッド５を挿通して支架する。この場合、モアロータ軸２の左右両端部では、ロッド５をサイドディスク３のディスク穴１３や、カバーディスク３８のカバー穴１４等に挿通するための、サイドカバー１１、又はフランジ４０に設けるロッド差込穴４１も、前記ホルダ穴９と対向する同位相位置に対向して形成する。
【００３２】
又、前記サイドカバー１１の外側には、モアロータ軸２に接近位置に伝動プーリ３２が設けられたり、軸受部材３１のフランジ４０が設けられることがあるが、このような形態では、前記サイドカバー１１のロッド差込穴１２を形成すると共に、伝動ケース４７カバー、プーリ３２、及びフランジ４０にも、ロッド差込穴４１を形成して、ロッド５の抜き差しを行い易くする。
【００３３】
前記ロッド５をモアロータ軸２の外周部に装着した状態を保持するために、ロッド５の先端部にフック溝４２を形成し、このフック溝４２に係合可能のフックプレート４３を、サイドディスク３等に、ボルト４４で取着して、前記フック溝４２の形態に応じた形状に形成した先端フック部４５を、このフック溝４２に係合させて、ロッド５の設定位置を固定したり、又、このフック溝４２との係合を解放してロッド５の抜き差しを可能とする。尚、ロッド５の左右両端部、及び左右サイドディスク３，３に接近するカラー７の構成については、図６（Ｂ）に示すように、モアロータ軸２にＬ字形態のカラーホルダ７０を固着し、Ｌ字形態のフックプレート４３でロッド５左右両端部を塞ぐ手段でもよい。又、ロッド５の先端フック部４５やフックプレート４３等は、回転バランスや、中間部でロッド５が切断した場合も、ロッド５が左右に抜け出ないためにも、モアロータ軸２の左右両側に設ける方が望ましい。従って、ロッド５が左右方向へ移動しないよう規制されている構成であればよい。
【００３４】
草茎の刈取作業は、エンジン２０の駆動によって、伝動ベルト４９を介して伝動ケース１７の伝動ギヤ機構を伝動して、車輪１５を走行伝動すると共に、伝動ベルト５０を介してモア入力軸５１、及びプーリ３３を伝動して、伝動ベルト３４、プーリ３２等を介して、モアロータ軸２を伝動回転して、草茎の刈取作業を行うことができる。
【００３５】
ハンマーナイフ１の着脱を行うとき、モアロータ軸２をモアデッキ１０に取付けた状態のままで行うことのできる形態では、前記モアロータ軸２の伝動ベルト３４、及びプーリ３２等を覆う伝動ケース４７カバーの外側部から、この伝動ケース４７カバーの前端部に形成されているロッド差込穴（この伝動ケース４７カバーにロッド差込穴が形成されていない場合は、この伝動ケース４７カバーを取外して、外側面を開放状態とすることができる）からロッド５を抜き差しする。ハンマーナイフ１を取付状態にあるロッド５を抜き外すときは、このロッド５の左、右片側一側部、又は左、右両端部のフック溝４２に係合しているロックプレート４３のフック部４５の係合を外して、左右一側のサイドカバー１１のロッド差込穴１２、又は軸受部材３１のフランジ４０に形成のロッド差込穴４１、ディスク穴１３、カバー穴１４から外側へロッド５を抜き出すことができる。
【００３６】
この場合、ロッド５の抜き外しが難しいときは、左右いずれかのサイドカバー１１の外側からロッド差込穴１２へ、ロッド５と同径、もしくはロッド５よりも細径の打込ピン４８を差込んで、ハンマー４６で叩込んで、ロッド５を反対側へ押し出すことができる。このようにしてロッド５の抜き外しによって、各ナイフホルダ６の内側にはハンマーナイフ１が残留され、ナイフホルダ６相互間や、ナイフホルダ６と外側端部のサイドディスク３との間には、カラー７が残留されるため、これらのハンマーナイフ１や、カラー７等は、ロッド５を外した後ち、作業者が直接手操作で除却することができる。
【００３７】
又、前記モアロータ軸２から取外したハンマーナイフ１や、カラー７等を元位置に装着するときは、前記左、右のサイドカバー１１のロッド差込穴１２を内側へロッド５を挿通しながら、この差込側サイドカバー１１、フランジ４０、及びサイドディスク３内側部のロッド差込穴１２、４１を通す毎に、サイドカバー３と、この内側部のナイフホルダ６との間にカラー７を介在させながら、このカラー７のカラー穴８内に挿通して、内側のナイフホルダ６のホルダ穴９へ挿通支持させる。このナイフホルダ６の内側にはハンマーナイフ１の基部を保持嵌合させて、ロッド５をこれらナイフホルダ６のホルダ穴９とナイフ１基部のナイフ穴４との重合部へ挿通して、各ナイフホルダ６間のカラー７のカラー穴８へ順次ハンマーナイフ１やカラー７を用意しながら挿通して、このロッド５の先端部を、モアロータ軸２の側端部のサイドディスク３のディスク穴１３に挿通支持させて、フック溝４２にロックプレート４３のフック部４５を係合させて、抜け止め固定する。
【００３８】
図１０は、モアロータ軸２へのナイフホルダ６溶着状態を示すものである。左右のナイフホルダ６，６はハンマーナイフ１の２枚分の厚さよりも若干広い間隔６ａを設けてモアロータ軸２に溶着されるのが一般的であるが、その溶接ビード６ｂが間隔６ａ内にはみ出ると、モアロータ軸２を中心に揺動するハンマーナイフ１のその揺動が固着することがあるという不具合がある。又、ナイフホルダ６端部６ｔへの溶接ビード６ｂの巻き込みＫを控えて間隔６ａ部への溶接ビード６ｂはみ出しをなくすると、溶接強度が確保できず、短時間で破損に至る可能性もある。これらを考慮し、ナイフホルダ６は、ホルダ穴９周辺部よりもモアロータ軸２への溶着部を広く形成するとともに、ナイフホルダ６の端部６ｔを所定角度Ｔ外側へ向け屈曲、乃至させモアロータ軸２に溶着してある。
【００３９】
この構成により、ナイフホルダ６のモアロータ軸２への溶接長が長くなり、又、ナイフホルダ６の端部６ｔを外方へ向け所定角度Ｔ屈曲させているので、溶接ビード６ｂをナイフホルダ６端部６ｔにおいて、間隔６ａ側まで巻き込みＫ溶接した場合や、ハンマーナイフ１自体が変形した場合にも、ハンマーナイフ１の揺動を阻害することがなく、充分なナイフホルダ６の溶接強度を確保できるものである。
【符号の説明】
【００４０】
１    ハンマーナイフ
２    モアロータ軸
３    サイドディスク
４    ナイフ穴
５    ロッド
６    ナイフホルダ
７    カラー
８    カラー穴
９    ホルダ穴
１０  モアデッキカバー
１１  サイドカバー
１２  ロッド差込穴
１３  ディスク穴
１４  カバー穴
【図１】
2018153132.tif 000003
【図２】
2018153132.tif 000004
【図３】
2018153132.tif 000005
【図４】
2018153132.tif 000006
【図５】
2018153132.tif 000007
【図６】
2018153132.tif 000008
【図７】
2018153132.tif 000009
【図８】
2018153132.tif 000010
【図９】
2018153132.tif 000011
【図１０】
2018153132.tif 000012